(57)【要約】【課題】組み立てを容易に行うことができ、高画質な画像を出力し操作性に優れた画像読取記録装置を提供する。【解決手段】原稿から画像情報を読取るための画像読取手段と、画像を形成して記録媒体に記録する画像形成手段と、画像読取手段および画像形成手段の少なくともいずれかを操作する操作パネル１と、を備えた画像読取記録装置において、前記操作パネル１と同じ側にカード型の電子機器の挿入部であるカードスロット部５を備えたことを特徴とする。かかる構成とすることにより、操作パネル１を操作するのと同様にカードスロット部５にカード型の電子機器を抜き差しできるので、操作性を向上することができる。【選択図】　図１
2004101590.tif 000002
【特許請求の範囲】
【請求項１】
原稿から画像情報を読取るための画像読取手段と、画像を形成して記録媒体に記録する画像形成手段と、前記画像読取手段および前記画像形成手段の少なくともいずれかを操作する操作パネルと、を備えた画像読取記録装置において、
前記操作パネルと同じ側にカード型の電子機器の挿入部であるカードスロット部を備えたことを特徴とする画像読取記録装置。
【請求項２】
前記カードスロット部を、装置前側であって、前記画像読取手段の下方で、前記画像形成手段の上方に設けたことを特徴とする請求項１に記載の画像読取記録装置。
【請求項３】
前記操作パネルは、装置本体の前方に突出して備えられており、
前記カードスロット部は、前記操作パネルの下側に連結されていることを特徴とする請求項１または２に記載の画像読取記録装置。
【請求項４】
前記カード型の電子機器のカード面が水平面と略平行になるように前記カード型の電子機器を抜き差し可能に前記カードスロット部を配置したことを特徴とする請求項１乃至３のいずれか１項に記載の画像読取記録装置。
【請求項５】
前記カードスロット部は、前記カード型の電子機器用の基板であるカード基板を備え、
該カード基板は、装置の作動を制御する制御手段の制御基板の近傍に備えられていることを特徴とする請求項１乃至４のいずれか１項に記載の画像読取記録装置。
【発明の詳細な説明】
【０００１】
【発明の属する技術分野】
本発明は、ファクシミリ、複写機、複合機などの画像読取記録装置に関するものである。
【０００２】
【従来の技術】
従来、この種の画像読取記録装置としては、たとえば、図１８に示すようなものがある。
【０００３】
この画像読取記録装置（文献公知発明に係るものではない）は、図１８に示すように、原稿から画像情報を読取るための画像読取部６０１に対して下方に、画像を形成して記録媒体に記録する記録部６０２が設けられている。
【０００４】
そして、記録部６０２の後方に、本体制御回路と画像処理回路等が設けられた制御基板６０３と、電源６０４が配置されている。
【０００５】
そして、カードスロット６０６が、画像読取部の表示部を正面に見た場合に、右側面に取りつけられている。
【０００６】
また、記録紙の送り方向は矢印Ｈの方向である。
【０００７】
【発明が解決しようとする課題】
しかしながら、上記のような従来技術の場合には、下記のような問題が生じていた。
【０００８】
図１８に示した画像読取記録装置においては、画像読取部の表示部を前方正面に見た場合に、記録部の後方に制御基板を設け、カードスロット６０６を右側面に設けているため、制御基板とカード基板との距離が遠く、制御基板とカード基板とを接続する線等を組み立てるのが困難であるとともに、該接続線の近傍に複数の部品が存在するためノイズ等が載りやすいという問題があった。
【０００９】
また、カードスロットが、画像読取部の表示部を正面に見た場合に、右側面に設けられているため、表示部正面から操作した場合、操作しづらいという欠点があった。
【００１０】
本発明は上記の従来技術の課題を解決するためになされたもので、その目的とするところは、組み立てを容易に行うことができ、高画質な画像を出力し操作性に優れた画像読取記録装置を提供することにある。
【００１１】
【課題を解決するための手段】
上記目的を達成するために本発明にあっては、原稿から画像情報を読取るための画像読取手段と、画像を形成して記録媒体に記録する画像形成手段と、前記画像読取手段および前記画像形成手段の少なくともいずれかを操作する操作パネルと、を備えた画像読取記録装置において、前記操作パネルと同じ側にカード型の電子機器の挿入部であるカードスロットを備えたことを特徴とする。
【００１２】
ここで、カード型の電子機器には、例えば、ＰＣＭＣＩＡの規格に準拠したＰＣカードであるコンパクトフラッシュ（登録商標），スマートメディア（商標），メモリースティック（商標），ＳＤカード等の各種メモリーカードやＩ／Ｏカード等が該当する。
【００１３】
そして、かかる構成とすることにより、操作パネルを操作するのと同じ側からカードスロットにＰＣカード等を抜き差しできるので、操作性を向上することができる。
【００１４】
また、前記カードスロット部を、装置前側であって、前記画像読取手段の下方で、前記画像形成手段の上方に設けることを特徴とする。
【００１５】
また、前記操作パネルは、装置本体の前方に突出して備えられており、前記カードスロット部は、前記操作パネルの下側に連結されていることを特徴とする。
【００１６】
また、前記カード型の電子機器のカード面が水平面と略平行になるように前記カード型の電子機器を抜き差し可能に前記カードスロット部を配置したことを特徴とする。
【００１７】
また、前記カードスロット部は、前記カード型の電子機器用の基板であるカード基板を備え、該カード基板は、装置の作動を制御する制御手段の制御基板の近傍に備えられていることは好適である。
【００１８】
このようにカード基板が制御基板の近傍に備えられていることにより、カード基板と制御基板とを接続する接続線を短くすることができるので、画像読取記録装置を組み立てる際、カード基板と制御基板とを容易に組み立てることができ、また、該接続線に他の部品等からのノイズが載り難いので高画質な画像を出力することができる。
【００１９】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２０】
図１〜図１７を参照して、本発明の実施の形態に係る画像読取記録装置について説明する。
【００２１】
図１は、本実施の形態の斜視図であり、図２は、中央断面図である。図１および図２に示すように、本実施の形態に係る画像読取記録装置は、操作パネルであるパネル部１、画像読取手段である画像読取部２、画像形成手段である記録部３、電気基板部４、カード型の電子機器の挿入部であるカードスロット部５、記録部３に記録紙を給紙するための給紙部６により構成されている。
【００２２】
まず、パネル部１について説明する。
【００２３】
図３はパネル部１の拡大斜視図、図４は部分断面図、図５はパネルユニットの裏面図である。
【００２４】
図に示すように、パネル部１は、装置本体から突出して備えられている。そして、パネルカバー１１にキー１２がはまっており、その上からパネル基板１６がパネルカバー１１にネジ止めされている。なお、キー１２ａ、キー１２ｂ、キー１２ｃは、図示していない箇所で一体的に構成されている。そして、パネル基板１６上には、タクトスイッチ１９がキー１２の下に半田付けされている。
【００２５】
また、パネル基板１６上には、スペーサ１５を介して、ＬＣＤ１４が装着されており、このＬＣＤ１４の上にはＬＣＤ窓１３が取り付けてある。また、パネル基板の裏面には、電解コンデンサ１７が半田付けされている。
【００２６】
次に、カードスロット部５について説明する。
【００２７】
図１に示すように、カードスロット部５はパネル部１の下側に連結されており、該パネル部１を装置本体の前方正面とした場合、パネル部１同様、装置本体の前方正面に配置されている。また、図２に示すように、カードスロット部は画像読取部２の下方で、画像形成部３の上方に設けられている。ここで、画像読取部２の下方とは、画像読取部２の最下点を含む面より下方であることをいい、画像形成部３の上方とは画像形成部３の最上点を含む面より上方であることをいう。カードスロット部５を画像読取部２の下方で、画像形成部３の上方に設けることにより、容易にカードスロットにＰＣカード等を抜き差しできるので、操作性が向上する。
【００２８】
このＰＣカードとは、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）の規格に準拠したカードのことであり、本実施の形態では、コンパクトフラッシュ，スマートメディア，メモリースティック，ＳＤ（Ｓｅｃｕｒｅ　Ｄｉｇｉｔａｌ）カード等の各種メモリーカードを各メモリーカードに対応したアダプタを介したものを示している。
【００２９】
そして、カードスロット部５にて、デジタルカメラの画像等をＰＣカードを通じて本体に読み込ませ、それらを記録部３から直接印刷させること、また、ＰＣと直接接続することによりメモリーカードをＰＣよりリード、ライトさせることができる。
【００３０】
なお、カードスロット部５には、ＰＣカードと実質的に同一の構造であれば、他の、カード型の電子機器をも抜き差しできる。
【００３１】
次に、画像読取部２について説明する。
【００３２】
図７は、原稿をセットする際の本体図で、画像読取部２のガラス２３上に原稿を裏向きにセットして原稿の画像を読取るようになっている。
【００３３】
また、突き当て基準白１２３がガラス２３の上面から貼り付けてある。該突き当て基準白１２３は、原稿の端部の突き当て部となると同時にガラス２３を通して裏側からの読取りの絶対白基準となる役割がある。
【００３４】
また、ガラス２３はカバー１２５により、上から押えられている。
【００３５】
また、原稿の浮きを押える圧板２１と、スポンジと白色シートで構成されている圧板白シート２２とが、ヒンジ１２４を介して取り付けられている。
【００３６】
図８は図７に対して、ガラス２３、カバー１２５を外した状態で、画像読取部２の内部構造がわかるようにしたものである。
【００３７】
画像を読取るコンタクトセンサー（以下、「ＣＩＳ」という。）２４を保持しているＣＩＳホルダー２７が、軸２５の上をガイドされて動くようになっている。また、ＣＩＳホルダー２７はモータ２８を動力として、駆動ギア部１２２で減速され、タイミングベルト２６を介して駆動されている。そして、タイミングベルト２６は、駆動ギア部１２２と対向側に存在するプーリー２９に掛けられている。
【００３８】
また、駆動ギア部１２２およびプーリー２９はスキャナフレーム１２０に取り付けられている。
【００３９】
そして、コピーやＰＣからのスキャン動作の時に、ＣＩＳ２４とＣＩＳホルダー２７が、矢印Ａの方向に駆動され、ガラス２３を介して原稿を読取る。
【００４０】
次に、記録部３および給紙部（ＡＳＦ：Ａｕｔｏ　Ｓｈｅｅｔ　Ｆｅｅｄｅｒ）６について説明する。
【００４１】
図２で示すように、矢印Ｂの方向に記録紙１００ａは搬送される。
【００４２】
トレイなどを開いた状態にした外観図が図９であり、図２と合わせて説明すると、ＡＳＦベース３０と中板３６にセットされた記録紙１００ａの先端部は、記録紙トレイ３２と記録紙補助トレイ３１により保持されている。また、記録紙１００ａは左右方向にスライド可能なスライダー３３により、斜行等しないように端部をガイドされて搬送される。
【００４３】
記録紙補助トレイ３１は、ヒンジ部３１ａを中心に、図２中の矢印Ｃの方向に回転可能で記録紙トレイ３２に収納できる。また、記録紙トレイ３２は、ヒンジ部３２ａを中心に矢印Ｄの方向に回転可能であり、本体に突き当たるまで回転することができる。
【００４４】
そして、図１０は、図１と同様に、記録紙補助トレイ３１および記録紙トレイ３２が開いた状態の外観図であり、図１１は記録紙補助トレイ３１および記録紙トレイ３２が閉じた状態の外観図である。なお、記録紙トレイ３２の開閉は、図７の圧板２１の開閉とは干渉しないようになっており、お互いにどの角度の状態であっても、開閉可能となっている。
【００４５】
このように記録紙トレイ３２が折りたためることにより、通常使わない時は出っ張りがなくコンパクトにできるだけでなく、給紙部６等に埃等が入るのも防止することができる。
【００４６】
そして、上述のように積載された記録紙１００ａは、図示しないカムにより中板３６が押し上げられ、給紙ローラ３４と分離ローラ３５により一枚に分離され給送される。この分離機構は、実際に駆動されるのは給紙ローラ３４で、分離ローラ３５は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。
【００４７】
そして、これらのローラで分離された原稿は搬送ローラ３７ａとピンチコロ３７ｂとの間に搬送され、一定速度で記録部３に搬送される。
【００４８】
図１２は、正面から、カートリッジドア１３３を開けた図である。記録部３にはプリントヘッドを一体的に構成しているカートリッジ３９、カラーインクタンク３８ａとブラックインクタンク３８ｂが装着されている。カートリッジ３９は、ガイドシャフト１３４にガイドされ記録紙の送り方向に対して垂直方向に動かすことにより、記録紙に印字する。
【００４９】
印字をされた記録紙は、排紙ローラ対１３０により、記録紙排紙トレイ１３１と、記録紙排紙補助トレイ１３２に排出される。
【００５０】
なお、カートリッジドア１３３を図１２の矢印Ｇの方向に開けることにより、通常、ユーザは、外部からインクタンク３８を交換することが出来る。カートリッジドア１３３には、図１３に示すような突起部１３３ａがあり、アクチエータ１３５を押し、制御基板４１の裏に実装されているフォトインタラプタ４２を遮る等して、カートリッジドアの開閉を検知している。
【００５１】
なお、このカートリッジドア１３３の開閉を検知することにより、カートリッジ３９は、通常、そのヘッド部が乾燥してしまうのを防止するために、図示しない図１２の右奥側に退避しているが、カートリッジドア１３３が開いたことを検知すると、ユーザがインクタンク３８を交換できるように、図１２の位置に移動する。
【００５２】
また、記録紙排紙トレイ１３１および記録紙排紙補助トレイ１３２は、記録を行っていないときは、記録紙排紙補助トレイ１３２を図２の矢印Ｅの方向にスライドさせ、記録紙排紙トレイ１３１の中に収納できる。さらに、記録紙排紙トレイ１３１は矢印Ｆの方向に閉じることができ、最終的には図１のような状態にすることができる。
【００５３】
逆に、外から、インクカートリッジ３８を交換するには、まず、図２の矢印Ｆと反対方向に記録紙排紙トレイを開き、図９のような状態にし、さらに、カートリッジドア１３３を図１２の矢印Ｇ方向に開くことにより交換等のメンテナンスを行うことができる。このカートリッジドア１３３は、記録紙排紙トレイ１３１と違い、開く方向が横方向であるため、カートリッジ３９の手前側に手を入れるスペースを広く出来るメリットがある。
【００５４】
なお、本実施の形態で使用している記録部３はインクジェット記録方式であり、インク吐出を行わせるために利用されるエネルギーとして熱エネルギーを発生する手段（例えば電気熱変換体やレーザ光等）を備えて、当該熱エネルギーによりインクの状態変化を生起させる方式であり、かかる方式によれば記録の高密度化、高精細化が達成できる。
【００５５】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。この気泡の成長、収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。
【００５６】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００５７】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成にしても良い。加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００５８】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００５９】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００６０】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００６１】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００６２】
次に電気基板部４について説明する。
【００６３】
図１４は、全体の電気基板の構成と周辺の構成を表した図である。ボトムケース３００に電源４５が取り付けてあり、その上から記録部３が取り付けてある。電源４５のインレット４５ａは外部より電源コードが取り付けられる。インレット４５ａは抜き差し時に根元に力がかかり基板から引き剥がされる力がかかるため、電源窓１４０をつけてボトムケース３００にインレット１４０ａを直接ネジ止めしている。
【００６４】
電源部詳細を示したのが図１７であり、インレット溝４５ｂに電源窓端部１４０ａが入り、電源窓穴１４０ｂとボトムケースビス穴３００ａとがネジ止めされるようになっている。
【００６５】
中継基板４４は、記録部３のモータのコネクタ４６、記録紙の位置を検出するフォトインタラプタ４７、中板３６を押し下げるカムの位置を検出するフォトインタラプタ４８が実装されており、これらをコネクタ４９からまとめて、制御基板４１と接続されている。これにより、制御基板４１との接続が集中できるため、組立が容易になる。
【００６６】
記録部３の上にはミドルフレーム２００を取り付け、ミドルフレーム２００には制御基板４１と、前述のカード基板５１がほぼ同一の高さに取り付けてある。
制御基板４１は、パネル部１を本体の正面前方とした場合、本体では後方に取り付けてある。また、制御基板４１には、ＵＳＢコネクタ４３が実装されており、図１１の背面カバーの開口部と符合している。
【００６７】
また、制御基板４１には、カードスロット部５と接続するためのインタフェースが取り付けられており、カードスロット部５に挿入されたＰＣカードに書き込まれた画像等を記録部３から直接印刷させることができるようになっている。
【００６８】
また、図６と図１５に示したように、ミドルフレームの左面２００ａは基板取り付け面より高くなっている。これは、前述のインクタンク３８交換の際のカートリッジ３９の交換位置の上にあたる位置であり、カートリッジ３９の上の天井を高くすることにより、手の入るスペースを確保したものである。
【００６９】
また、ミドルフレームの左端２００ｂは基板取り付け面と同じ高さになっている。これは、読取部２の駆動部１２２が出っ張っているため、それを収めるためのスペースを確保したものである。
【００７０】
図１６は、図１５にパネル部１を取り付けた図で、前述のように、パネル部１はカードスロット部５のほぼ真上に配置されており、制御基板４１との接続が容易となっている。このような基板配置された状態で、図１４に示すように、読取部２が上から収まる構成となっている。
【００７１】
以上のような、電気基板構成にすることにより、デッドスペースがほとんどなく、効率的にかつ、使いやすいレイアウトとすることができる。また、カードスロット部５のカード基板５１と制御基板４１との距離が短く、両基板を接続する線も短いため、組立やすく、ノイズに強い構成となっている。
【００７２】
次に、本画像読取記録装置のオペレーションの一例について説明する。
【００７３】
図１のパネル部１のキーを操作することにより動作させる。たとえば、コピーを行うときの操作について説明すると、最初に電源キー１２ｆを押す。次に、機能キー１２ｃでコピーキーを選択する。そして、メニューキーで、画質、記録させるメディアを選択し、矢印キー１２ａでコピー枚数を設定する。カラー選択キー１２ｂでカラーコピーか、白黒コピーかを選択する。その後、圧板２１を開けて、コピーしたい原稿をガラス２３上にセットする。記録紙を記録紙トレイ３２にセットし、最後にパネル部１のスタートキー１２ｅを押すとコピー出来る。
【００７４】
このように、パネル部１のキーは、操作する順番に左から右に操作することにより、すべての操作が抜けなく、自然におこなうことが出来るように配置されている。操作方法の例として、コピーで説明したが、最初の機能キー１２ｃで、スキャンを選択すると、ＵＳＢ４３を通じて接続されているＰＣからのスキャンをさせることができる。また、写真を選択すると、前述のカードスロット部５に挿入されているＰＣカードＣに書き込まれた画像を直接記録部３に記録させることができる。
【００７５】
【発明の効果】
以上説明したように、本発明によれば、操作パネルと同じ側から、カード型の電子機器の抜き差しの操作ができるので、操作性を向上することができる。
【図面の簡単な説明】
【図１】本発明の実施の形態に係る画像読取記録装置の斜視図である。
【図２】本発明の実施の形態に係る画像読取記録装置の断面図である。
【図３】本発明の実施の形態に係る画像読取記録装置の操作パネル部の拡大図である。
【図４】本発明の実施の形態に係る画像読取記録装置の操作パネル部の断面図である。
【図５】本発明の実施の形態に係る画像読取記録装置の操作パネル部の裏面図である。
【図６】本発明の実施の形態に係る画像読取記録装置の電気基板の取り付け図である。
【図７】本発明の実施の形態に係る画像読取記録装置の画像読取手段の圧板を開いた状態図である。
【図８】本発明の実施の形態に係る画像読取記録装置の画像読取手段の構造図である。
【図９】本発明の実施の形態に係る画像読取記録装置のトレイを開いた状態の外観図である。
【図１０】本発明の実施の形態に係る画像読取記録装置のトレイを開いた状態の背面外観図である。
【図１１】本発明の実施の形態に係る画像読取記録装置のトレイを閉じた状態の背面外観図である。
【図１２】本発明の実施の形態に係る画像読取記録装置のカートリッジドアが開いた状態の外観図である。
【図１３】本発明の実施の形態に係る画像読取記録装置のカートリッジドアのセンサ配置図である。
【図１４】本発明の実施の形態に係る画像読取記録装置の電気基板の配置組立図である。
【図１５】本発明の実施の形態に係る画像読取記録装置の電気基板取り付けの平面図である。
【図１６】図１５に対して操作パネル部を取り付けた状態の平面図である。
【図１７】本発明の実施の形態に係る画像読取記録装置の電源部の詳細図である。
【図１８】従来の技術に係る画像読取記録装置の電源部の詳細図である。
【符号の説明】
１　パネル部（操作パネル）
２　読取部（画像読取手段）
３　記録部（画像記録手段）
４　電気基板部
５　カードスロット部
６　給紙部
２１　圧板
２３　ガラス
３１　記録紙トレイ
３２　記録紙補助トレイ
３８　インクタンク
３９　カートリッジ
４１　制御基板
４２　カートリッジドア用フォトインタラプタ
４３　ＵＳＢコネクタ
４４　中継基板
４５　電源
１００　記録紙
２００　ミドルフレーム
３００　ボトムケース
１３１　記録紙排紙トレイ
１３２　記録紙排紙補助トレイ
１３３　カートリッジドア
【図１】
2004101590.tif 000003
【図２】
2004101590.tif 000004
【図３】
2004101590.tif 000005
【図４】
2004101590.tif 000006
【図５】
2004101590.tif 000007
【図６】
2004101590.tif 000008
【図７】
2004101590.tif 000009
【図８】
2004101590.tif 000010
【図９】
2004101590.tif 000011
【図１０】
2004101590.tif 000012
【図１１】
2004101590.tif 000013
【図１２】
2004101590.tif 000014
【図１３】
2004101590.tif 000015
【図１４】
2004101590.tif 000016
【図１５】
2004101590.tif 000017
【図１６】
2004101590.tif 000018
【図１７】
2004101590.tif 000019
【図１８】
2004101590.tif 000020